(57)【要約】本発明は、無線通信システムと関連する発明である。より具体的に、本発明は、無線通信システムでのＭＡＣ（Ｍｅｄｉｕｍ  Ａｃｃｅｓｓ  Ｃｏｎｔｒｏｌ）エンティティの確立／リリースを行うための方法及び装置に関し、本発明の方法は、第１の類型セル上の第１の基地局と通信すること―ここで、端末は、第１の類型セルに対する第１のＭＡＣ（Ｍｅｄｉｕｍ  Ａｃｃｅｓｓ  Ｃｏｎｔｒｏｌ）エンティティを含む。―、第１の基地局との通信を維持する間、端末が第２の基地局との通信を開始する場合、第２の類型セルに対する第２のＭＡＣエンティティを確立すること、及び端末が第１の基地局との通信を維持する間、第２の基地局との通信を中止する場合、第２の類型セルに対する第２のＭＡＣエンティティをリリースすることを含むことができる。
2016518065.tif 000002
【特許請求の範囲】
【請求項１】
第１の類型セル及び第２の類型セルを含む無線通信システムの端末の作動方法であって、
前記第１の類型セル上の第１の基地局と通信すること―ここで、前記端末は、前記第１の類型セルに対する第１のＭＡＣ（Ｍｅｄｉｕｍ  Ａｃｃｅｓｓ  Ｃｏｎｔｒｏｌ）エンティティを含む。―；
前記第１の基地局との通信を維持する間、前記端末が第２の基地局との通信を開始する場合、前記第２の類型セルに対する第２のＭＡＣエンティティを確立すること；及び
前記端末が前記第１の基地局との通信を維持する間、前記第２の基地局との通信を中止する場合、前記第２の類型セルに対する前記第２のＭＡＣエンティティをリリースすることを含む、端末の作動方法。
【請求項２】
前記第２の基地局の前記第２の類型セルが前記端末に追加されたとき、前記端末は前記第２の基地局との通信を開始する、請求項１に記載の端末の作動方法。
【請求項３】
前記第２の基地局の前記第２の類型セル上に無線ベアラが確立されたとき、前記端末は前記第２の基地局との通信を開始する、請求項１に記載の端末の作動方法。
【請求項４】
前記第２の基地局の前記第２の類型セルが前記端末から除去されたとき、前記端末は前記第２の基地局との通信を中断する、請求項１に記載の端末の作動方法。
【請求項５】
前記第２の基地局の前記第２の類型セルに対する各ベアラのうち一つのみがリリースされたとき、前記端末は前記第２の基地局との通信を中断する、請求項１に記載の端末の作動方法。
【請求項６】
前記端末に追加されたり又は前記端末から除去される第２の類型セルの無線資源設定を含む設定情報を受信することをさらに含む、請求項１に記載の端末の作動方法。
【請求項７】
前記設定情報は、ＲＲＣ（Ｒａｄｉｏ  Ｒｅｓｏｕｒｃｅ  Ｃｏｎｔｒｏｌ）シグナリングメッセージを介して受信された、請求項６に記載の端末の作動方法。
【請求項８】
前記設定情報は、前記第１の類型セル上の前記第１の基地局又は前記第２の類型セル上の前記第２の基地局によって指示された、請求項６に記載の端末の作動方法。
【請求項９】
第１の類型セル及び第２の類型セルを含む無線通信システムの端末であって、
無線周波数モジュール；及び
前記無線周波数モジュールと連結され、前記第１の類型セル上の第１の基地局と通信するための第１のＭＡＣ（Ｍｅｄｉｕｍ  Ａｃｃｅｓｓ  Ｃｏｎｔｒｏｌ）エンティティを含むプロセッサを含み、
前記プロセッサは、前記第１の基地局との通信を維持する間、前記端末が第２の基地局との通信を開始する場合、前記第２の類型セルに対する第２のＭＡＣエンティティを確立し、前記第１の基地局との通信を維持する間、前記端末が前記第２の基地局との通信を中断する場合、前記第２の類型セルに対する前記第２のＭＡＣエンティティをリリースするように構成された、端末。
【請求項１０】
前記端末に前記第２の基地局の前記第２の類型セルが追加されたとき、前記プロセッサは前記第２の基地局との通信を開始する、請求項９に記載の端末。
【請求項１１】
前記第２の基地局の前記第２の類型セル上に無線ベアラが確立されたとき、前記プロセッサは前記第２の基地局との通信を開始する、請求項９に記載の端末。
【請求項１２】
前記第２の基地局の前記第２の類型セルが前記端末から除去されたとき、前記プロセッサは前記第２の基地局との通信を中断する、請求項９に記載の端末。
【請求項１３】
前記第２の基地局の前記第２の類型セル内の各無線ベアラのうち一つのみがリリースされたとき、前記プロセッサは前記第２の基地局との通信を中断する、請求項９に記載の端末。
【請求項１４】
前記無線周波数モジュールは、前記端末に追加されたり又は前記端末から除去される前記第２の類型セルの無線周波数設定を含む情報を受信するように構成された、請求項９に記載の端末。
【請求項１５】
前記設定情報は、ＲＲＣ（Ｒａｄｉｏ  Ｒｅｓｏｕｒｃｅ  Ｃｏｎｔｒｏｌ）シグナリングメッセージを介して受信された、請求項１４に記載の端末。
【請求項１６】
前記設定情報は、前記第１の類型セル上の前記第１の基地局又は前記第２の類型セル上の前記第２の基地局によって指示された、請求項１４に記載の端末。
【発明の詳細な説明】
【技術分野】
【０００１】
本発明は、無線通信システムに関し、より詳細には、ＭＡＣ（Ｍｅｄｉｕｍ  Ａｃｃｅｓｓ  Ｃｏｎｔｒｏｌ）エンティティを確立（ｅｓｔａｂｌｉｓｈ）／リリース（ｒｅｌｅａｓｅ）するための方法及びこのための装置に関する。
【背景技術】
【０００２】
本発明が適用され得る無線通信システムの一例として、３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ；以下、「ＬＴＥ」という）通信システムに対して概略的に説明する。
【０００３】
図１は、無線通信システムの一例としてＥ―ＵＭＴＳ網構造を概略的に示した図である。Ｅ―ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）システムは、既存のＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）から進化したシステムであって、現在３ＧＰＰで基礎的な標準化作業を進めている。一般に、Ｅ―ＵＭＴＳは、ＬＴＥ（Ｌｏｎｇ  Ｔｅｒｍ  Ｅｖｏｌｕｔｉｏｎ）システムと称することもできる。ＵＭＴＳ及びＥ―ＵＭＴＳの技術規格（ｔｅｃｈｎｉｃａｌ  ｓｐｅｃｉｆｉｃａｔｉｏｎ）の詳細な内容は、それぞれ「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  ＳｐｅｃｉｆｉｃａｔｉｏｎグループＲａｄｉｏ  Ａｃｃｅｓｓ  Ｎｅｔｗｏｒｋ」のＲｅｌｅａｓｅ７とＲｅｌｅａｓｅ８を参照することができる。
【０００４】
図１を参照すると、Ｅ―ＵＭＴＳは、端末（Ｕｓｅｒ  Ｅｑｕｉｐｍｅｎｔ；ＵＥ）、基地局（ｅＮｏｄｅ  Ｂ；ｅＮＢ）、及びネットワーク（Ｅ―ＵＴＲＡＮ）の終端に位置し、外部ネットワークと連結される接続ゲートウェイ（Ａｃｃｅｓｓ  Ｇａｔｅｗａｙ；ＡＧ）を含む。基地局は、ブロードキャストサービス、マルチキャストサービス及び／又はユニキャストサービスのために多重データストリームを同時に伝送することができる。
【０００５】
一つの基地局には一つ以上のセルが存在する。セルは、１．２５、２．５、５、１０、１５、２０Ｍｈｚなどの帯域幅のうち一つに設定され、多くの端末にダウンリンク又はアップリンク伝送サービスを提供する。互いに異なるセルは、互いに異なる帯域幅を提供するように設定することができる。基地局は、多数の端末に対するデータ送受信を制御する。ダウンリンク（Ｄｏｗｎｌｉｎｋ；ＤＬ）データに対して、基地局は、ダウンリンクスケジューリング情報を伝送し、該当の端末にデータが伝送される時間／周波数領域、符号化、データサイズ、ＨＡＲＱ（Ｈｙｂｒｉｄ  Ａｕｔｏｍａｔｉｃ  Ｒｅｐｅａｔ  ａｎｄ  ｒｅＱｕｅｓｔ）関連情報などを知らせる。また、アップリンク（Ｕｐｌｉｎｋ；ＵＬ）データに対して、基地局は、アップリンクスケジューリング情報を該当の端末に伝送し、該当の端末が使用可能な時間／周波数領域、符号化、データサイズ、ＨＡＲＱ関連情報などを知らせる。各基地局間では、ユーザートラフィック又は制御トラフィックの伝送のためのインターフェースを使用することができる。核心網（Ｃｏｒｅ  Ｎｅｔｗｏｒｋ；ＣＮ）は、ＡＧ、及び端末のユーザー登録などのためのネットワークノードなどで構成することができる。ＡＧは、複数のセルで構成されるＴＡ（Ｔｒａｃｋｉｎｇ  Ａｒｅａ）単位で端末の移動性を管理する。
【０００６】
無線通信技術は、ＷＣＤＭＡ（登録商標）を基盤にしてＬＴＥまで開発されてきたが、ユーザーと事業者の要求と期待は持続的に増加している。また、他の無線接続技術が継続して開発されているので、今後の競争力を有するためには新たな技術進化が要求される。ビット当たりの費用減少、サービス可用性の増大、融通性のある周波数バンドの使用、単純構造と開放型インターフェース、端末の適切なパワー消耗などが要求される。
【発明の概要】
【発明が解決しようとする課題】
【０００７】
本発明の課題は、無線通信システムでＭＡＣエンティティを確立／リリースするための方法及び装置の問題を解決するためになされたものである。本発明によって解決される技術的課題は、上述した技術的課題に限定されるものではなく、本技術分野の通常の技術者は、以下の説明から他の技術的課題を理解できるだろう。
【課題を解決するための手段】
【０００８】
本発明の課題は、第１の類型セル及び第２の類型セルを含む無線通信システムの端末の作動方法であって、前記第１の類型セル上の第１の基地局と通信すること―ここで、前記端末は、前記第１の類型セルに対する第１のＭＡＣ（Ｍｅｄｉｕｍ  Ａｃｃｅｓｓ  Ｃｏｎｔｒｏｌ）エンティティ（ｅｎｔｉｔｙ）を含む―；前記第１の基地局との通信を維持する間、前記端末が第２の基地局との通信を開始する場合、前記第２の類型セルに対する第２のＭＡＣエンティティを確立すること；及び前記端末が前記第１の基地局との通信を維持する間、前記第２の基地局との通信を中止する場合、前記第２の類型セルに対する前記第２のＭＡＣエンティティをリリースすることを含む、端末の作動方法によって達成することができる。
【０００９】
本明細書に提供された本発明の他の側面によると、第１の類型セル及び第２の類型セルを含む無線通信システムの端末は、無線周波数（Ｒａｄｉｏ  Ｆｒｅｑｕｅｎｃｙ）モジュール；及び前記無線周波数モジュールと連結され、前記第１の類型セル上の第１の基地局と通信するための第１のＭＡＣ（Ｍｅｄｉｕｍ  Ａｃｃｅｓｓ  Ｃｏｎｔｒｏｌ）エンティティを含むプロセッサであって、前記プロセッサは、前記第１の基地局との通信を維持する間、前記端末が第２の基地局との通信を開始する場合、前記第２の類型セルに対する第２のＭＡＣエンティティを確立し、前記第１の基地局との通信を維持する間、前記端末が前記第２の基地局との通信を中断する場合、前記第２の類型セルに対する前記第２のＭＡＣエンティティをリリースするように構成することができる。
【００１０】
好ましくは、前記第２の基地局の前記第２の類型セルが前記端末に追加されたとき、前記端末は前記第２の基地局との通信を開始する。
【００１１】
好ましくは、前記第２の基地局の前記第２の類型セル上に無線ベアラ（ｒａｄｉｏ  ｂｅａｒｅｒ）が確立されたとき、前記端末は前記第２の基地局との通信を開始する。
【００１２】
好ましくは、前記第２の基地局の前記第２の類型セルが前記端末から除去されたとき、前記端末は前記第２の基地局との通信を中断する。
【００１３】
好ましくは、前記第２の基地局の前記第２の類型セルに対する各ベアラ（ｂｅａｒｅｒ）のうち一つのみがリリースされたとき、前記端末は前記第２の基地局との通信を中断する。
【００１４】
好ましくは、前記方法は、前記端末に追加されたり又は前記端末から除去される第２の類型セルの無線資源設定を含む設定情報を受信することをさらに含む。
【００１５】
好ましくは、前記設定情報は、ＲＲＣ（Ｒａｄｉｏ  Ｒｅｓｏｕｒｃｅ  Ｃｏｎｔｒｏｌ）シグナリングメッセージを介して受信される。
【００１６】
好ましくは、前記設定情報は、前記第１の類型セル上の前記第１の基地局又は前記第２の類型セル上の前記第２の基地局によって指示される。
【発明の効果】
【００１７】
本発明によると、ＭＡＣエンティティの確立／リリースを無線通信システムで効果的に行うことができる。特に、ＭＡＣエンティティの確立／リリースをセル変更手順で効果的に行うことができる。
【００１８】
本発明で得られる効果は、以上で言及した各効果に制限されず、言及していない他の効果は、下記の記載及び参照された各図面から本発明の属する技術分野で通常の知識を有する者に明確に理解され得るだろう。
【図面の簡単な説明】
【００１９】
以下で、添付の各図面は、本発明に関する理解を促進するためのものであって、詳細な説明と共に本発明に対する各実施例を提供する。
【００２０】
図面は、次の通りである。
【００２１】
【図１】無線通信システムの一例としてＥ―ＵＭＴＳ網構造を概略的に示した図である。
【００２２】
【図２Ａ】Ｅ―ＵＴＲＡＮ（Ｅｖｏｌｖｅｄ―Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）網構造を示すブロック図である。
【図２Ｂ】一般的なＥ―ＵＴＲＡＮとＥＰＣの構造を示すブロック図である。
【００２３】
【図３】３ＧＰＰ無線接続網規格を基盤にした端末とＥ―ＵＴＲＡＮとの間の無線インターフェースプロトコル（Ｒａｄｉｏ  Ｉｎｔｅｒｆａｃｅ  Ｐｒｏｔｏｃｏａｌ）の制御平面（Ｃｏｎｔｒｏｌ  Ｐｌａｎｅ）及びユーザー平面（Ｕｓｅｒ  ｐｌａｎｅ）の構造を示す図である。
【００２４】
【図４】Ｅ―ＵＭＴＳシステムで用いられる物理チャンネル構造の一例を示す図である。
【００２５】
【図５】マクロセルとスモールセルとの間の二重連結性を示す概念図である。
【００２６】
【図６】二重連結性システムのセル変更手順に対する概念図である。
【００２７】
【図７】二重連結性のための無線プロトコル構造に対する概念図である。
【００２８】
【図８Ａ】二重連結性と連関した基地局の制御平面連結性に対する概念図である。
【図８Ｂ】二重連結性と連関した基地局のユーザー平面連結性に対する概念図である。
【００２９】
【図９】本発明の実施例に係るＭＡＣエンティティの確立／リリースに対する概念図である。
【００３０】
【図１０Ａ】本発明の実施例に係るセル変更におけるＭＡＣエンティティの確立に対する概念図である。
【図１０Ｂ】本発明の実施例に係るセル変更におけるＭＡＣエンティティの確立に対する概念図である。
【図１０Ｃ】本発明の実施例に係るセル変更におけるＭＡＣエンティティの確立に対する概念図である。
【００３１】
【図１１】本発明の実施例に係るセル変更におけるＭＡＣエンティティリリースに対する概念図である。
【００３２】
【図１２】本発明の実施例に係る通信装置のブロック図である。
【発明を実施するための形態】
【００３３】
ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）は、ヨーロッパシステム、ＧＳＭ（登録商標）（Ｇｌｏｂａｌ  ｓｙｓｔｅｍ  ｆｏｒ  ｍｏｂｉｌｅ  ｃｏｍｍｕｎｉｃａｔｉｏｎ、ＧＳＭ（登録商標））、及びＧＰＲＳ（Ｇｅｎｅｒａｌ  Ｐａｃｋｅｔ  Ｒａｄｉｏ  Ｓｅｒｖｉｃｅ）に基盤したＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ）で動作する３世代（３ｒｄ  Ｇｅｎｅｒａｔｉｏｎ、３Ｇ）非対称移動通信システムである。ＵＭＴＳのＬＴＥ（Ｌｏｎｇ―Ｔｅｒｍ  Ｅｖｏｌｕｔｉｏｎ）は、ＵＭＴＳを規格化する３ＧＰＰによって論議中にある。
【００３４】
３ＧＰＰ  ＬＴＥは、高速パケット通信を可能にする技術である。ユーザー及び提供者の費用を減少させ、サービス品質を改善し、カバレッジ（ｃｏｖｅｒａｇｅ）及びシステム容量を拡張及び改善することを目的とするＬＴＥ課題のための多くの方法が提案された。３Ｇ  ＬＴＥは、上位―レベル要求であって、ビット（ｂｉｔ）当たりの費用減少、増加したサービス可用性、周波数帯域の柔軟性、単純な構造、開放型インターフェース、及び端末の適切な電力消耗を要求する。
【００３５】
以下で、添付の図面を参照して説明した本発明の各実施例により、本発明の構成、作用及び他の特徴が容易に理解され得るだろう。以下で説明する各実施例は、本発明の技術的特徴が３ＧＰＰシステムに適用された各例である。
【００３６】
本明細書は、ＬＴＥシステム及びＬＴＥ―Ａシステムを使用して本発明の実施例を説明するが、これは例示であって、本発明の実施例は、前記定義に該当するいずれの通信システムにも適用することができる。また、本明細書は、ＦＤＤ方式を基準にして本発明の実施例に対して説明するが、これは例示であって、本発明の実施例は、Ｈ―ＦＤＤ方式又はＴＤＤ方式にも容易に変形して適用することができる。
【００３７】
図２Ａは、Ｅ―ＵＴＲＡＮ（Ｅｖｏｌｖｅｄ―Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）網構造を示すブロック図である。Ｅ―ＵＭＴＳは、ＬＴＥシステムと称することもできる。通信網は、ＩＭＳ及びパケットデータを通じたＶｏＩＰ（Ｖｏｉｃｅ  ｏｖｅｒ  ＩＰ）などの多様なサービスを提供するために広く配置される。
【００３８】
図２Ａに示したように、Ｅ―ＵＭＴＳ網は、Ｅ―ＵＴＲＡＮ（ｅｖｏｌｖｅｄ  ＵＭＴＳ  ｔｅｒｒｅｓｔｒｉａｌ  ｒａｄｉｏ  ａｃｃｅｓｓ  ｎｅｔｗｏｒｋ）、ＥＰＣ（Ｅｖｏｌｖｅｄ  Ｐａｃｋｅｔ  Ｃｏｒｅ）、及び一つ以上の端末を含む。Ｅ―ＵＴＲＡＮは、一つのセルに位置することもできる一つ以上のｅＮＢ（ｅｖｏｌｖｅｄ  ＮｏｄｅＢ）２０、及び複数の端末１０を含むこともできる。一つ以上のＥ―ＵＴＲＡＮ  ＭＭＥ（Ｍｏｂｉｌｉｔｙ  Ｍａｎａｇｅｍｅｎｔ  Ｅｎｔｉｔｙ）／ＳＡＥ（Ｓｙｓｔｅｍ  Ａｒｃｈｉｔｅｃｔｕｒｅ  Ｅｖｏｌｕｔｉｏｎ）ゲートウェイ３０は、ネットワークの終端に位置し、外部ネットワークに連結することもできる。
【００３９】
本明細書において、「ダウンリンク（ｄｏｗｎｌｉｎｋ）」は、ｅＮＢ２０から端末１０への通信を称し、「アップリンク（ｕｐｌｉｎｋ）」は、端末１０からｅＮＢ２０への通信を称する。端末１０は、ユーザーによって運搬される通信装備を称し、また、移動局（Ｍｏｂｉｌｅ  Ｓｔａｔｉｏｎ、ＭＳ）、ユーザー端末（Ｕｓｅｒ  Ｔｅｒｍｉｎａｌ、ＵＴ）、加入者ステーション（Ｓｕｂｓｃｒｉｂｅｒ  Ｓｔａｔｉｏｎ、ＳＳ）又は無線デバイスと称することもできる
【００４０】
図２Ｂは、一般的なＥ―ＵＴＲＡＮとＥＰＣの構造を示すブロック図である。
【００４１】
図２Ｂに示したように、ｅＮＢ２０は、ユーザー平面及び制御平面のエンドポイント（ｅｎｄ  ｐｏｉｎｔ）をＵＥ１０に提供する。ＭＭＥ／ＳＡＥゲートウェイ３０は、セッション及び移動性管理機能のエンドポイントをＵＥ１０に提供する。ｅＮＢ２０及びＭＭＥ／ＳＡＥゲートウェイ３０は、Ｓ１インターフェースを介して連結することができる。
【００４２】
ｅＮＢ２０は、一般にＵＥ１０と通信する固定局であって、基地局（ＢＳ）又はアクセスポイントと称することもある。一つのｅＮＢ２０はセルごとに配置することができる。ユーザートラフィック又は制御トラフィックを送信するためのインターフェースをｅＮＢ２０間で使用することができる。
【００４３】
ＭＭＥは、ｅＮＢ２０に対するＮＡＳシグナリング、ＮＡＳシグナリング保安、ＡＳ保安制御、３ＧＰＰ接続ネットワーク間の移動性のためのインターＣＮノードシグナリング、（ページング再伝送の制御及び実行を含む）遊休モードＵＥ接近性（Ｒｅａｃｈａｂｉｌｉｔｙ）、（遊休及び活性モードのＵＥのための）トラッキング領域リスト管理、ＰＤＮ  ＧＷ及びサービングＧＷ選択、ＭＭＥ変化が伴うハンドオーバーのためのＭＭＥ選択、２Ｇ又は３Ｇ  ３ＧＰＰ接続ネットワークへのハンドオーバーのためのＳＧＳＮ選択、ローミング、認証、専用ベアラ設定を含むベアラ管理、ＰＷＳ（ＥＴＷＳ及びＣＭＡＳを含む）メッセージ伝送のためのサポートを含む多様な機能を行う。ＳＡＥゲートウェイホストは、パー―ユーザー（Ｐｅｒ―ｕｓｅｒ）基盤のパケットフィルタリング（例えば、Ｋパケット検査を使用）、適法なインターセプション（Ｌａｗｆｕｌ  Ｉｎｔｅｒｃｅｐｔｉｏｎ）、ＵＥ  ＩＰ住所割り当て、ダウンリンクでの伝送ポートレベルパケットマーキング、ＵＬ及びＤＬサービスレベル課金、ゲーティング及びレート強化、ＡＰＮ―ＡＭＢＲに基づいたＤＬレート強化を含む多様な機能を提供する。ＭＭＥ／ＳＡＥゲートウェイ３０は、明確性のために、本明細書で単純に「ゲートウェイ」と称する。しかし、ＭＭＥ／ＳＡＥゲートウェイ３０は、ＭＭＥ及びＳＡＥゲートウェイの両者を全て含む。
【００４４】
複数のノードは、ｅＮＢ２０とゲートウェイ３０との間でＳ１インターフェースを介して連結することができる。各ｅＮＢ２０は、Ｘ２インターフェースを介して相互接続することができ、各隣接ｅＮＢは、Ｘ２インターフェースを有するメッシュネットワーク構造を有することができる。
【００４５】
図２Ｂは、一般的なＥ―ＵＴＲＡＮ及び一般的なＥＰＣ構造を示すブロック図である。図２Ｂに示したように、ｅＮＢ２０は、ゲートウェイ３０に対する選択、無線資源制御（ＲＲＣ）活性化の間、ゲートウェイに向かうルーティング、ページングメッセージのスケジューリング及び送信、ブロードキャストチャンネル（ＢＣＣＨ）情報のスケジューリング及び送信、アップリンク及びダウンリンクの全てにおける各ＵＥ１０のための動的資源割り当て、ｅＮＢ測定の構成及び準備、無線ベアラ制御、無線承認制御（ＲＡＣ）、及びＬＴＥ＿ＡＣＴＩＶＥ状態での連結移動性制御などの各機能を行うことができる。ＥＰＣにおいて、ゲートウェイ３０は、ページング発信、ＬＴＥ＿ＩＤＬＥ状態管理、ユーザー平面暗号化、システム構造エボリューション（ＳＡＥ）ベアラ制御、及び非―接続層（ＮＡＳ）シグナリングの暗号化及び無欠性保護などの各機能を行うことができる。
【００４６】
ＥＰＣは、移動性管理エンティティ（Ｍｏｂｉｌｉｔｙ  Ｍａｎａｇｅｍｅｎｔ  Ｅｎｔｉｔｙ、ＭＭＥ）、サービング―ゲートウェイ（ｓｅｒｖｉｎｇ―ｇａｔｅｗａｙ、Ｓ―ＧＷ）、及びパケットデータネットワーク―ゲートウェイ（Ｐａｃｋｅｔ  Ｄａｔａ  Ｎｅｔｗｏｒｋ―Ｇａｔｅｗａｙ、ＰＤＮ―ＧＷ）を含む。ＭＭＥは、主に各端末の移動性を管理する目的で用いられる連結及び可用性に対する情報を有する。Ｓ―ＧＷは、Ｅ―ＴＲＡＮを終端点として有するゲートウェイで、ＰＤＮ―ＧＷは、パケットデータネットワーク（ＰＤＮ）を終端点として有するゲートウェイである。
【００４７】
図３は、３ＧＰＰ無線接続網規格を基盤にした端末とＥ―ＵＴＲＡＮとの間の無線インターフェースプロトコルの制御平面及びユーザー平面の構造を示す図である。制御平面は、端末（Ｕｓｅｒ  Ｅｑｕｉｐｍｅｎｔ；ＵＥ）とネットワークがコールを管理するために用いる各制御メッセージが伝送される通路を意味する。ユーザー平面は、アプリケーション層で生成されたデータ、例えば、音声データ又はインターネットパケットデータなどが伝送される通路を意味する。
【００４８】
第１の層である物理層は、物理チャンネル（Ｐｈｙｓｉｃａｌ  Ｃｈａｎｎｅｌ）を用いて上位層に情報伝送サービス（Ｉｎｆｏｒｍａｔｉｏｎ  Ｔｒａｎｓｆｅｒ  Ｓｅｒｖｉｃｅ）を提供する。物理層は、上位にある媒体接続制御（Ｍｅｄｉｕｍ  Ａｃｃｅｓｓ  Ｃｏｎｔｒｏｌ）層とは伝送チャンネル（Ｔｒａｎｓｐｏｒｔ  Ｃｈａｎｎｅｌ）を介して連結されている。前記伝送チャンネルを介して媒体接続制御層と物理層との間にデータが移動する。送信側と受信側の物理層間には、物理チャンネルを介してデータが移動する。前記物理チャンネルは、時間と周波数を無線資源として活用する。具体的に、物理チャンネルは、ダウンリンクでＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式で変調され、アップリンクでＳＣ―ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式で変調される。
【００４９】
第２の層の媒体接続制御（Ｍｅｄｉｕｍ  Ａｃｃｅｓｓ  Ｃｏｎｔｒｏｌ；ＭＡＣ）層は、論理チャンネル（Ｌｏｇｉｃａｌ  Ｃｈａｎｎｅｌ）を介して上位層である無線リンク制御（Ｒａｄｉｏ  Ｌｉｎｋ  Ｃｏｎｔｒｏｌ；ＲＬＣ）層にサービスを提供する。第２の層のＲＬＣ層は、信頼性のあるデータ伝送をサポートする。ＲＬＣ層の機能は、ＭＡＣ内部の機能ブロックで具現することもできる。第２の層のＰＤＣＰ（Ｐａｃｋｅｔ  Ｄａｔａ  Ｃｏｎｖｅｒｇｅｎｃｅ  Ｐｒｏｔｏｃｏｌ）層は、帯域幅の狭い無線インターフェースでＩＰｖ４やＩＰｖ６などのＩＰパケットを効率的に伝送するために不必要な制御情報を減少させるヘッダー圧縮（Ｈｅａｄｅｒ  Ｃｏｍｐｒｅｓｓｉｏｎ）機能を行う。
【００５０】
第３の層の最下部に位置した無線資源制御（Ｒａｄｉｏ  Ｒｅｓｏｕｒｃｅ  Ｃｏｎｔｒｏｌ；ＲＲＣ）層は、制御平面のみで定義される。ＲＲＣ層は、各無線ベアラ（Ｒａｄｉｏ  Ｂｅａｒｅｒ；ＲＢ）の設定（Ｃｏｎｆｉｇｕｒａｔｉｏｎ）、再設定（Ｒｅ―ｃｏｎｆｉｇｕｒａｔｉｏｎ）及び解除（Ｒｅｌｅａｓｅ）と関連して論理チャンネル、伝送チャンネル及び物理チャンネルの制御を担当する。ＲＢは、端末とネットワークとの間のデータ伝達のために第２の層によって提供されるサービスを意味する。このために、端末とネットワークのＲＲＣ層は、互いにＲＲＣメッセージを交換する。
【００５１】
ｅＮＢの一つのセルは、１．２５、２．５、５、１０、１５及び２０ＭＨｚなどの各帯域のうち一つで動作するように設定することができ、帯域でダウンリンク又はアップリンク伝送サービスを提供するように設定することができる。異なる各セルは、異なる各帯域を提供するように設定することもできる。
【００５２】
Ｅ―ＵＴＲＡＮから端末への送信のためのダウンリンク伝送チャンネル（Ｄｏｗｎｌｉｎｋ  ｔｒａｎｓｐｏｒｔ  Ｃｈａｎｎｅｌ）は、システム情報を伝送するＢＣＨ（Ｂｒｏａｄｃａｓｔ  Ｃｈａｎｎｅｌ）、各ページングメッセージを伝送するＰＣＨ（Ｐａｇｉｎｇ  Ｃｈａｎｎｅｌ）、及びユーザートラフィック又は各制御メッセージを伝送するためのダウンリンク共有チャンネル（Ｓｈａｒｅｄ  Ｃｈａｎｎｅｌ、ＳＣＨ）を含む。ダウンリンクマルチキャスト又はブロードキャストサービスのトラフィック又は制御メッセージの場合、ダウンリンクＳＣＨを介して伝送することもでき、又は別途のダウンリンクＭＣ（Ｍｕｌｔｉｃａｓｔ  Ｃｈａｎｎｅｌ）を介して伝送することもできる。
【００５３】
一方、端末からネットワークにデータを伝送するアップリンク伝送チャンネルとしては、初期制御メッセージを伝送するＲＡＣＨ（Ｒａｎｄｏｍ  Ａｃｃｅｓｓ  Ｃｈａｎｎｅｌ）と、その他にユーザートラフィックや制御メッセージを伝送するアップリンクＳＣＨ（Ｓｈａｒｅｄ  Ｃｈａｎｎｅｌ）とがある。伝送チャンネルの上位にあり、伝送チャンネルにマッピングされる論理チャンネルとしては、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、及びＭＴＣＨ（Ｍｕｌｔｉｃａｓｔ  Ｔｒａｆｆｉｃ  Ｃｈａｎｎｅｌ）などがある。
【００５４】
図４は、Ｅ―ＵＭＴＳシステムで使用する物理チャンネル構造の一例を示した図である。物理チャンネルは、時間軸上にある多数のサブフレームと、周波数軸上にある多数のサブキャリア（Ｓｕｂ―ｃａｒｒｉｅｒ）とで構成される。ここで、一つのサブフレーム（Ｓｕｂ―ｆｒａｍｅ）は、時間軸上に複数のシンボル（Ｓｙｍｂｏｌ）で構成される。一つのサブフレームは、複数の資源ブロック（Ｒｅｓｏｕｒｃｅ  Ｂｌｏｃｋ）で構成され、一つの資源ブロックは、複数のシンボル及び複数のサブキャリアで構成される。また、各サブフレームは、ＰＤＣＣＨ（Ｐｈｙｓｉｃａｌ  Ｄｏｗｎｌｉｎｋ  Ｃｏｎｔｒｏｌ  Ｃｈａｎｎｅｌ）、すなわち、Ｌ１／Ｌ２制御チャンネルのために該当のサブフレームの特定シンボル（例えば、１番目のシンボル）の特定サブキャリアを用いることができる。図４には、Ｌ１／Ｌ２制御情報伝送領域（ハッチング部分）とデータ伝送領域（ハッチングしていない部分）を示した。現在論議が進行中のＥ―ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）システムでは、１０ｍｓの無線フレーム（ｒａｄｉｏ  ｆｒａｍｅ）を使用し、一つの無線フレームは１０個のサブフレーム（ｓｕｂｆｒａｍｅ）で構成される。また、一つのサブフレームは二つの連続するスロットで構成される。一つのスロットの長さは、０．５ｍｓである。また、一つのサブフレームは多数のＯＦＤＭシンボルで構成され、多数のＯＦＤＭシンボルのうち一部のシンボル（例えば、１番目のシンボル）は、Ｌ１／Ｌ２制御情報を伝送するために使用することができる。データ伝送のための時間単位である伝送時間間隔（Ｔｒａｎｓｍｉｓｓｉｏｎ  Ｔｉｍｅ  Ｉｎｔｅｒｖａｌ、ＴＴＩ）は１ｍｓである。
【００５５】
基地局と端末は、一般に特定制御信号又は特定サービスデータを除いては、伝送チャンネルであるＤＬ―ＳＣＨを用いるＰＤＳＣＨを介してデータを送信／受信する。ＰＤＳＣＨのデータがいずれの端末（一つ又は複数の端末）に伝送されるもので、前記各端末がどのようにＰＤＳＣＨデータを受信してデコーディング（ｄｅｃｏｄｉｎｇ）しなければならないのかに対する情報などは、ＰＤＣＣＨに含まれて伝送される。
【００５６】
例えば、特定ＰＤＣＣＨが「Ａ」というＲＮＴＩ（Ｒａｄｉｏ  Ｎｅｔｗｏｒｋ  Ｔｅｍｐｏｒａｒｙ  Ｉｄｅｎｔｉｔｙ）でＣＲＣマスキング（ｍａｓｋｉｎｇ）されており、「Ｂ」という無線資源（例えば、周波数位置）及び「Ｃ」という伝送形式情報（例えば、伝送ブロックサイズ、変調方式、コーディング情報など）を用いて伝送されるデータに関する情報が特定サブフレームを通じて伝送されると仮定する。この場合、セル内の端末は、自分が有しているＲＮＴＩ情報を用いてＰＤＣＣＨをモニタリングし、「Ａ」ＲＮＴＩを有している一つ以上の端末があると、前記各端末はＰＤＣＣＨを受信し、受信したＰＤＣＣＨの情報を通じて「Ｂ」と「Ｃ」によって指示されるＰＤＳＣＨを受信する。
【００５７】
図５は、マクロセルとスモールセルとの間の二重連結性を示す概念図である。
【００５８】
一方、ＬＴＥ―Ａ以後の次期のシステムでは、トラフィック最適化などのためにカバレッジが大きいセル（例えば、マクロセル）内にカバレッジが小さい多数のセル（例えば、マイクロセル）を配置することができる。例えば、一つの端末に対してマクロセルとマイクロセルを併合することができ、マクロセルは主に移動性管理用途（例えば、ＰＣｅｌｌ）で使用され、マイクロセルは主にスループットブースティング用途（例えば、ＳＣｅｌｌ）で使用される状況を考慮することができる。この場合、一つの端末に併合される各セルは、互いに異なるカバレッジを有することができ、それぞれのセルは、地理的に離れた互いに異なる基地局（或いは、これに相応するノード（例えば、リレー））によってそれぞれ管理することができる（インター―サイトＣＡ）。
【００５９】
二重連結性（ｄｕａｌ  ｃｏｎｎｅｃｔｉｖｉｔｙ）は、端末がマクロセルとスモールセルの全てに同時に連結できることを意味する。二重連結性で、ハンドオーバー（ｈａｎｄｏｖｅｒ）可能性を低下させるためにマクロセル内のスケジューリング無線ベアラ（Ｓｃｈｅｄｕｌｉｎｇ  Ｒａｄｉｏ  Ｂｅａｒｅｒ、ＳＲＢ）又は他のＤＲＢを維持する同時に、高い処理量を提供するために、いくつかのデータ無線ベアラ（Ｄａｔａ  Ｒａｄｉｏ  Ｂｅａｒｅｒ、ＤＲＢ）はスモールセルにオフロード（ｏｆｆｌｏａｄ）することができる。マクロセルは、周波数ｆ１を通じてＭｅＮＢ（Ｍａｃｒｏ  ｃｅｌｌ  ｅＮＢ）によって作動し、スモールセルは、周波数ｆ２を通じてＳｅＮＢ（Ｓｍａｌｌ  ｃｅｌｌ  ｅＮＢ）によって作動する。周波数ｆ１及びｆ２は同一であり得る。ＭｅＮＢとＳｅＮＢとの間のバックホール（ｂａｃｋｈａｕｌ）インターフェースは、バックホールに相当する遅延があり、一つのノードでの中央化されたスケジューリングが不可能であるので、非―理想的である。
【００６０】
二重連結性による利得を得るために、例えば、ＳＲＢｓ又はリアルタイムトラフィックなどの他のトラフィックがマクロセルによって依然としてサービスされる間、遅延耐性（ｄｅｌａｙ  ｔｏｌｅｒａｎｔ）であるベスト―エフォートトラフィック（ｂｅｓｔ―ｅｆｆｏｒｔ  ｔｒａｆｆｉｃ）はスモールセルにオフロードされる。
【００６１】
図６は、二重連結性システムのセル変更手順に対する概念図である。
【００６２】
端末は、セルが追加、変更、又は除去されたとき、セル変更手順を行う。より具体的に、セルをサポートする特定無線ベアラが追加、変更、又は除去されたとき、端末はセル変更手順を行う。
【００６３】
マクロセルとスモールセルとの間の二重連結性システムにおいて、セルが追加、変更、又は除去されたとき、端末は、マクロ（又はマスター）セル基地局（ＭｅＮＢ）と通信するＲＬＣ及びＰＤＣＰエンティティでスモールセル変更（Ｓｍａｌｌ  Ｃｅｌｌ  Ｃｈａｎｇｅ、ＳＣＣ）手順を行う。スモールセル（例えば、ピコセル（ｐｉｃｏ―ｃｅｌｌ）、フェムトセル（ｆｅｍｔｏ―ｃｅｌｌ）など）は、サービングセル（例えば、マクロセル）のカバレッジより小さいカバレッジを有するセルであり得る。
【００６４】
ＭｅＮＢは、マクロセルカバレッジ上の各基地局のうち一つの基地局であって、マクロセルカバレッジを提供する。ＭｅＮＢは、少なくともＳ１―ＭＭＥ（制御平面に対するＳ１）を終端する基地局であってもよい。マクロセルは、ＰＣｅｌｌ、及び付加的な一つ以上のＳＣｅｌｌを含む、ＭｅＮＢと連関した各サービングセルのグループであるマクロセルグループのうち一つであってもよい。
【００６５】
ＳｅＮＢは、スモールセルカバレッジ上の各基地局のうち一つの基地局であって、スモールセルカバレッジを提供する。ＳｅＮＢは、ＭｅＮＢでない端末のために追加的な無線資源を提供する基地局であってもよい。スモールセルは、スペシャルＳＣｅｌｌ及び付加的な一つ以上のＳＣｅｌｌを含む、ＳｅＮＢと連関した各サービングセルのグループである各スモールセルグループのうち一つであってもよい。マクロセルのカバレッジとスモールセルのカバレッジは、互いに重畳する領域を含む。
【００６６】
端末がＳＣＣ手順を行うとき、スモールセル上に常住することもできるネットワークの全てのエンティティの無線ベアラ又はネットワークのＲＬＣ／ＭＡＣ／ＰＨＹ（又はＲＬＣエンティティのみ）の無線ベアラのみがＭｅＮＢからＳｅＮＢに、ＳｅＮＢ１から他のＳｅＮＢ２に、又はＳｅＮＢからＭｅＮＢに移動することもできる。ＰＤＣＰエンティティは、変更されたセル（分割ベアラ構造）上に常住することもできる。
【００６７】
図６の（ａ）に示したように、ＭｅＮＢに連結された端末がＳｅＮＢ１下の領域に移動する場合、例えば、ＢＥ―ＤＲＢ（Ｂｅｓｔ  Ｅｆｆｏｒｔ―ＤＲＢ）などの一部のＤＲＢは、ＳｅＮＢ１にオフロードすることができる。このような方式で、ＢＥ―ＤＲＢのＲＬＣ／ＭＡＣ／ＰＨＹは、ＰＤＣＰエンティティがＭｅＮＢ内に維持された状態で、ＭｅＮＢからＳｅＮＢ１に変更される。
【００６８】
図６の（ｂ）の場合、ＭｅＮＢに連結された端末がＳｅＮＢ１下の領域からＳｅＮＢ２下の領域に移動する場合、ＳｅＮＢ１によってサービングされるＢＥ―ＤＲＢはＳｅＮＢ２に移動する。このような方式で、ＢＥ―ＤＲＢのＲＬＣ／ＭＡＣ／ＰＨＹは、ＰＤＣＰエンティティがＭｅＮＢ内に維持された状態で、ＳｅＮＢ１からＳｅＮＢ２に変更される。
【００６９】
図６の（ｃ）の場合、ＭｅＮＢに連結された端末がＳｅＮＢ２下の領域外に移動する場合、ＳｅＮＢ２によってサービングされるＢＥ―ＤＲＢはＭｅＮＢに移動する。このような方式で、ＢＥ―ＤＲＢのＲＬＣ／ＭＡＣ／ＰＨＹは、ＰＤＣＰエンティティがＭｅＮＢ内に維持された状態で、ＳｅＮＢ２からＭｅＮＢに変更される。
【００７０】
図７は、二重連結性のための無線プロトコル構造に対する概念図である。
【００７１】
本実施例のＥ―ＵＴＲＡＮは、Ｘ２インターフェース上の非―理想的バックホールを通じて連結された２個の基地局に位置し、２個の別個のスケジューラ（ｓｃｈｅｄｕｌｅｒ）によって提供された各無線資源を活用するように構成されたＲＲＣ連結（ＲＲＣ＿ＣＯＮＮＥＣＴＥＤ）状態の複数の受信／送信（Ｒｘ／Ｔｘ）端末によって二重連結性（Ｄｕａｌ  Ｃｏｎｎｅｃｔｉｖｉｔｙ、ＤＣ）動作をサポートすることができる。特定端末に対する二重連結性と関連する各基地局は、２つの異なる役割を仮定することもできる。基地局は、ＭｅＮＢ又はＳｅＮＢとして行動することもできる。二重連結性で、端末は、一つのＭｅＮＢ及び一つのＳｅＮＢと連結することができる。
【００７２】
二重連結性（ＤＣ）動作において、特定ベアラが用いる無線プロトコル構造は、ベアラがどのように設定されているのかによる。３つの代案として、ＭＣＧ（Ｍａｓｔｅｒ  Ｃｅｌｌ  Ｇｒｏｕｐ）ベアラ７０１、分離ベアラ（ｓｐｌｉｔ  ｂｅａｒｅｒ）７０３及びＳＣＧ（Ｓｅｃｏｎｄａｒｙ  Ｃｅｌｌ  Ｇｒｏｕｐ）ベアラ７０５が存在する。３つの代案は、図７に示している。ＳＲＢ（Ｓｉｇｎａｌｉｎｇ  Ｒａｄｉｏ  Ｂｅａｒｅｒ）は、常にＭＣＧベアラであって、ＭｅＮＢによって提供される各無線資源のみを用いる。
【００７３】
特に、二重連結性（ＤＣ）動作は、ＳｅＮＢによって提供された各無線資源を用いるように設定された少なくとも一つのベアラを有するものとして説明することもできる。
【００７４】
図８Ａは、二重連結性と連関した基地局の制御平面連結性に対する概念図で、図８Ｂは、二重連結性と連関した基地局のユーザー平面連結性に対する概念図である。
【００７５】
図８Ａは、特定端末に対する二重連結性と連関した基地局の制御平面（Ｃｏｎｔｒｏｌ  Ｐｌａｎｅ、Ｃ―Ｐｌａｎｅ）を示す。ＭｅＮＢは、Ｓ１―ＭＭＥ（制御平面に対するＳ１）に連結された制御平面であり、ＭｅＮＢとＳｅＮＢは、Ｘ２―Ｃ（Ｘ２―制御平面）を通じて互いに連結される。
【００７６】
図８Ａに示すように、二重連結性のための基地局間（Ｉｎｔｅｒ―ｅＮＢ）制御平面シグナリングがＸ２インターフェースシグナリングによって行われる。ＭＭＥへの制御平面シグナリングは、Ｓ１インターフェースシグナリングによって行われる。ＭｅＮＢとＭＭＥとの間には、端末当たりに一つのＳ１―ＭＭＥ連結が存在する。それぞれの基地局は、例えば、ＳＣＧに対するＳＣｅｌｌ（Ｓｅｃｏｎｄａｒｙ  Ｃｅｌｌ）を他の端末に提供する間、いくつかの端末にはＰＣｅｌｌ（Ｐｒｉｍａｒｙ  Ｃｅｌｌ）を提供する場合のように、各端末を独立的に取り扱わなければならない。特定端末に対する二重連結性と連関したそれぞれの基地局は、自分の無線資源を所有し、自分の各セルの各無線資源を割り当てること、及びＸ２インターフェースシグナリングを用いて行われるＭｅＮＢとＳｅＮＢとの間のそれぞれの調整に対して主に責任を有する。
【００７７】
図８Ｂは、特定端末に対する二重連結性と連関した基地局のユーザー平面（Ｕｓｅｒ  ｐｌａｎｅ、Ｕ―Ｐｌａｎｅ）連結性を示す。ユーザー平面連結性は、ベアラオプション設定に従う。：１）各ＭＣＧベアラにおいて、ＭｅＮＢはＳ１―Ｕを通じてＳ―ＧＷにユーザー平面連結され、２）各分割ベアラにおいて、ＭｅＮＢはＳ１―Ｕを通じてＳ―ＧＷにユーザー平面連結され、追加的にＭｅＮＢとＳｅＮＢはＸ２―Ｕを通じて互いに連結され、３）各ＳＣＧベアラにおいて、ＳｅＮＢはＳ１―Ｕを通じてＳ―ＧＷと直接連結される。ＭＣＧ及び分離ベアラのみが設定された場合、ＳｅＮＢにはＳ１―Ｕ終端が存在しない。二重連結性において、各マクロセルのグループから各スモールセルのグループへのデータオフロードのためにスモールセルの改善が要求される。各スモールセルは、各マクロセルから離れて配置され得るので、端末の観点から複数のスケジューラが異なる各ノードに分離されて位置し、独立的に動作する。これは、異なるスケジューリングノードが異なる無線資源環境に出会うことを意味し、それぞれのスケジューリングノードが異なるスケジューリング結果を有することもあり得ることを意味する。
【００７８】
現在、端末は、一つのＭＡＣエンティティを有する。複数のスモールセルをサポートするために各スケジューリングノードの間に一つの共通（ｃｏｍｍｏｎ）ＭＡＣエンティティが利用／共有される場合、スケジューリングノードは、自分の無線環境に従ってＭＡＣエンティティを管理／調整するのに困難があり得る。これは、異なるスケジューリングノードが、非―理想的バックホールを通じて連結される可能性もあるためである。例えば、同一のＭＡＣエンティティを用いる他のスケジューリングノードがＭＡＣエンティティをリセット（ｒｅｓｅｔ）することを望まない一方、一つのスケジューリングノードは、端末のＭＡＣエンティティをリセットすることを望む場合もあり得る。
【００７９】
図９は、本発明の実施例に係るＭＡＣエンティティの確立／リリースに対する概念図である。
【００８０】
本発明において、端末は、端末が連結されたスモールセルの存在にＭＡＣエンティティの存在有無が依存するＭＡＣエンティティを維持することもできる。マクロセルに対する持続的（ｐｅｒｓｉｓｔｅｎｔ）ＭＡＣエンティティはＭ―ＭＡＣと称することができる一方、スモールセルに対するＭＡＣエンティティはＳ―ＭＡＣと称することができる。併せて、端末が維持する各Ｓ―ＭＡＣエンティティの数は、端末が連結された各スモールセルの数と同一であってもよい。すなわち、Ｓ―ＭＡＣエンティティとスモールセルとの間、各スモールセルのグループとベアラとの間には１―対―１マッピングが存在する。
【００８１】
端末が複数のスモールセルに連結された場合、端末は、複数のＳ―ＭＡＣエンティティを維持することができる。この場合、それぞれのＳ―ＭＡＣエンティティは、他のＳ―ＭＡＣエンティティとは独立的に動作する。ネットワーク側で、Ｍ―ＭＡＣエンティティはマクロセル基地局（ＭｅＮＢ）内に位置する一方、Ｓ―ＭＡＣエンティティはスモールセル基地局（ＳｅＮＢ）内に位置する。
【００８２】
基本的に、端末は、マクロセルと通信するためにＭ―ＭＡＣと称されるＭＡＣエンティティを維持することもできる。その後、マクロセルに加えて、端末がスモールセルに連結される場合、端末は、スモールセルと通信するためにＳ―ＭＡＣと称されるＭＡＣエンティティを確立する。端末は、スモールセルに対する連結を解除するとき、Ｓ―ＭＡＣをリリースする。
【００８３】
端末は、各スモールセル又は各ベアラのグループの数によって互いに独立的に動作する複数のＳ―ＭＡＣを有することもできる。具体的に、端末は、スモールセル／スモールセルのグループ／ベアラに対するＳ―ＭＡＣを確立することもでき、スモールセル／スモールセルのグループ／ベアラが変更されるとき、Ｓ―ＭＡＣをリリースすることもできる。
【００８４】
本発明において、端末は、第１の類型セル上の第１の基地局（ＢＳ）と通信（Ｓ９０１）し、ここで、端末は、第１の類型セルに対する第１のＭＡＣエンティティを有する。
【００８５】
好ましくは、第１の基地局はＭｅＮＢであってもよく、第１の類型セルは、各マクロセルのうち一つであり、第１の類型セルに対する第１のＭＡＣエンティティはＭ―ＭＡＣエンティティであってもよい。
【００８６】
端末は、端末に追加されたり又は端末からリリースされる第２の類型セルの無線資源設定を含む設定情報を受信（Ｓ９０３）することができる。
【００８７】
ＭｅＮＢ及びＳｅＮＢは、端末がＳ―ＭＡＣエンティティを確立又はリリースしなければならないことを端末に指示する。設定情報は、端末に対するベアラ又は各ベアラの一部が異なるスモールセルによって提供されることを指示することもでき、設定情報は、１）ベアラ識別子、２）スモールセル識別子、３）スモールセルグループ識別子、４）Ｓ―ＭＡＣ確立／再設定／リリース指示、及び５）Ｓ―ＭＡＣ確立類型を含むこともできる。ベアラ識別子は、スモールセル又はスモールセルグループにＲＬＣ／ＭＡＣが変更される必要があるＲＢ（Ｒａｄｉｏ  Ｂｅａｒｅｒ）の識別子である。スモールセル識別子又はスモールセルグループ識別子は、変更される必要があるＲＢのターゲットセル（ｔａｒｇｅｔ  ｃｅｌｌ）の識別子である。マクロセル及びスモールセルは、いずれもこのフィールドによって識別される。ＲＲＣシグナリングメッセージは、スモールセル又はスモールセルグループで用いられる各無線ベアラパラメーターをさらに含むこともできる。
【００８８】
好ましくは、第２の類型セルは、各スモールセルのうち一つである。
【００８９】
好ましくは、設定情報は、第１の類型セル上の第１の基地局又は第２の類型セル上の第２の基地局を通じて指示することもできる。また、設定情報は、ＲＲＣシグナリングを通じて受信することもできる。端末は、ＲＲＣシグナリングメッセージをＳｅＮＢから直接受信できると共に、ＳｅＮＢからＭｅＮＢを通じて受信することができる。
【００９０】
好ましくは、ＲＢ設定（ｃｏｎｆｉｇｕｒａｔｉｏｎ）メッセージと称されるＲＲＣシグナリングメッセージは、端末に、無線ベアラ（ＲＢ）設定をＭｅＮＢからＳｅＮＢに（スモールセル追加の場合）、ＳｅＮＢから他のＳｅＮＢに（スモール変更の場合）、又はＳｅＮＢからＭｅＮＢに（スモールセル除去の場合）変更するように要請するために用いることもできる。
【００９１】
例えば、端末がＭｅＮＢ又はＳｅＮＢからＲＲＣシグナリングメッセージを受信する場合、端末は、Ｓ―ＭＡＣ確立／再設定／リリースを行うこともできる。その後、ベアラ識別子によって指示された各ベアラは、新たな／異なるスモールセルによって提供することができる。
【００９２】
端末が第１の基地局との通信を維持しながら第２の基地局との通信を開始する場合、端末は、第２の類型セルに対する第２のＭＡＣエンティティを確立（Ｓ９０５）することもできる。
【００９３】
好ましくは、第２の類型セルに対する第２のＭＡＣエンティティはＳ―ＭＡＣであってもよく、第２の基地局はＳｅＮＢであってもよく、第２の類型セルは各スモールセルのうち一つであってもよい。
【００９４】
好ましくは、第２の基地局の第２の類型セルが端末に追加された場合、端末は、第２の基地局との通信を開始することもでき、又は、第２の基地局の第２の類型セル上に無線ベアラが確立された場合、端末は第２の基地局との通信を開始することもできる。
【００９５】
基地局が第１の基地局との通信を維持する間、第２の基地局との通信を中断（ｓｔｏｐ）した場合、端末は、第２の類型セルに対する第２のＭＡＣエンティティをリリース（Ｓ９０７）することもできる。
【００９６】
好ましくは、端末から第２の基地局の第２の類型セルが除去された場合、端末は、第２の基地局との通信を中断することもでき、また、第２の基地局の第２の類型セル内の各無線ベアラのうち一つのみがリリースされた場合、端末は第２の基地局との通信を中断することもできる。
【００９７】
本発明と関連して、ＭｅＮＢ又はＳｅＮＢがＲＲＣシグナリングメッセージを介して「ターゲットセルはスモールセル」であることを指示する設定情報を伝送した場合、端末は、ターゲットセルの識別子を確認することもでき、端末は、マクロセルからスモールセルに無線ベアラを移動させることもできる。指示された無線ベアラに対して、端末は、次のような各行動を行うことができる。：１）マクロセルに対するＲＬＣを除去、２）スモールセルに対するＲＬＣを確立、３）存在しない場合、スモールセルに対するＳ―ＭＡＣを確立。その他に、スモールセルに対して既に存在するＳ―ＭＡＣを用い、４）既存のＰＤＣＰをスモールセルに対するＲＬＣ／Ｓ―ＭＡＣにマッピングする。
【００９８】
ＭｅＮＢ又はＳｅＮＢがＲＲＣシグナリングメッセージを介して「ターゲットセルはマクロセル」であることを指示する設定情報を伝送した場合、端末は、ターゲットセルの識別子を確認することもでき、端末は、スモールセルからマクロセルに無線ベアラを移動させることもできる。指示された無線ベアラに対して、端末は、次のような各行動を行うことができる。：１）スモールセルに対するＲＬＣを除去、２）スモールセル内に残っている各無線ベアラがない場合は、スモールセルに対するＳ―ＭＡＣを除去、３）マクロセルに対するＲＬＣを確立、及び４）既存のＰＤＣＰをマクロセルに対するＲＬＣ／Ｓ―ＭＡＣにマッピングする。
【００９９】
ＭｅＮＢ又はＳｅＮＢがＲＲＣシグナリングメッセージを介して「ターゲットセルは他のスモールセル」であることを指示する設定情報を伝送した場合、端末は、ターゲットセルの識別子を確認することもでき、端末は、スモールセルから他のスモールセルに無線ベアラを移動させることもできる。指示された無線ベアラに対して、端末は、次のような各行動を行うことができる。：１）既存のスモールセルに対するＲＬＣを除去、２）既存のスモールセル内に残っている各無線ベアラがない場合は、既存のスモールセルに対するＳ―ＭＡＣを除去、３）新たなスモールセルに対するＲＬＣを確立、４）存在しない場合、新たなスモールセルに対するＳ―ＭＡＣを確立。その他に、新たなスモールセルに対して既に存在するＳ―ＭＡＣを用い、５）既存のＰＤＣＰを新たなスモールセルに対するＲＬＣ／Ｓ―ＭＡＣにマッピングする。
【０１００】
Ｓ―ＭＡＣを除去して確立する代わりに、スモールセルの変更時にＳ―ＭＡＣ再設定を適用することもできる。この場合、端末は、Ｓ―ＭＡＣをリセットし、新たなスモールセルで用いられる各パラメーターを適用する。
【０１０１】
図１０Ａ、図１０Ｂ、及び図１０Ｃは、本発明の実施例に係るセル変更におけるＭＡＣエンティティの確立に対する概念図である。
【０１０２】
端末が新たなスモールセルグループで設定された場合、端末は、ＭｅＮＢ又はＳｅＮＢからのＳ―ＭＡＣ確立指示子を含むか、又はこれを含まないＲＲＣシグナリングメッセージを受信することができる。
【０１０３】
Ｓ―ＭＡＣ確立指示子を含まないＲＲＣシグナリングメッセージを端末が受信したとき、ＲＲＣシグナリングメッセージは、Ｓ―ＭＡＣ確立指示子を含まないスモールセル識別子又はスモールセルグループ識別子を含み、各識別子がＲＲＣシグナリングメッセージの受信時に用いられていない場合、端末は、これを端末に追加される新たなスモールセル又はスモールセルグループと見なすこともでき、Ｓ―ＭＡＣ確立を行うこともできる。
【０１０４】
端末がＳ―ＭＡＣ確立を行う場合、ＲＲＣシグナリングメッセージによって指示されたベアラ又は各ベアラのうち一部は、新たに追加されたスモールセルによって提供される。これは、ＲＲＣシグナリングによって指示されたベアラ又は各ベアラの一部が、Ｍ―ＭＡＣの代わりに新たなスモールセルに対するＳ―ＭＡＣにマッピングされることによって実現することができる。
【０１０５】
Ｓ―ＭＡＣ確立の３つの類型として、例えば、「スモールセル当たりの」Ｓ―ＭＡＣ確立、「各スモールセルのグループ当たりの」Ｓ―ＭＡＣ確立、及び「ベアラ当たりの」Ｓ―ＭＡＣ確立がある。Ｓ―ＭＡＣ確立類型は、ＲＲＣシグナリングメッセージを用いて明示的に指示されたり、端末とＭｅＮＢ／ＳｅＮＢとの間に既に設定されることもある。
【０１０６】
図１０Ａは、本発明の実施例に係るセル変更におけるスモールセル当たりのＭＡＣエンティティの確立に対する概念図である。
【０１０７】
「スモールセル当たりの」Ｓ―ＭＡＣ確立類型の場合、端末は、スモールセル当たりのＳ―ＭＡＣを確立することもできる。端末は、各スモールセルの数と同一の数のＳ―ＭＡＣを確立することもできる。ベアラ識別子によって指示された各ベアラは、Ｍ―ＭＡＣの代わりにスモールセルの対応Ｓ―ＭＡＣにマッピングされる。一つのスモールセルによって提供された少なくとも一つのベアラは、スモールセルの一つの共通Ｓ―ＭＡＣにマッピングされる。
【０１０８】
端末がこの類型のＳ―ＭＡＣ確立を行う場合、端末は、ＲＲＣシグナリングメッセージのスモールセル識別子によって指示された新たなスモールセルに対する一つの共通Ｓ―ＭＡＣを確立することもでき、また、ＲＲＣシグナリングによって指示されたベアラは、スモールセルの共通Ｓ―ＭＡＣにマッピングされる。
【０１０９】
図１０Ｂは、本発明の実施例に係るセル変更におけるスモールセルグループ当たりのＭＡＣエンティティの確立に対する概念図である。
【０１１０】
「スモールセルグループ当たりの」Ｓ―ＭＡＣ確立類型の場合、端末は、スモールセルグループ当たりのＳ―ＭＡＣを確立することもできる。スモールセルグループは、少なくとも一つのスモールセルを含むこともできる。各スモールセルの同一のグループ内で、端末は一つの共通Ｓ―ＭＡＣを確立することもできる。スモールセルグループに属した各スモールセルによって提供される全てのベアラは、スモールセルグループの共通Ｓ―ＭＡＣにマッピングされる。この類型のＳ―ＭＡＣ確立において、端末は、スモールセルグループの数と同一の数のＳ―ＭＡＣを確立することができる。
【０１１１】
端末がこの類型のＳ―ＭＡＣ確立を行う場合、ＲＲＣシグナリングメッセージによって指示された各ベアラは、スモールセルグループ識別子によって指示されたスモールセルグループの共通Ｓ―ＭＡＣにマッピングされる。
【０１１２】
図１０Ｃは、本発明の実施例に係るセル変更におけるベアラ当たりのＭＡＣエンティティ確立に対する概念図である。
【０１１３】
「ベアラ当たりの」Ｓ―ＭＡＣ確立類型の場合、端末は、ベアラ当たりのＳ―ＭＡＣを確立することもできる。Ｓ―ＭＡＣの数は、ベアラの数と同一であり得る。この類型のＳ―ＭＡＣ確立において、各ベアラが同一のスモールセルによって提供されるとしても、それぞれのベアラはスモールセルの対応Ｓ―ＭＡＣにマッピングされることもある。
【０１１４】
端末がこの類型のＳ―ＭＡＣ確立を行う場合、ＲＲＣシグナリングメッセージによって指示されたベアラは、スモールセル識別子によって指示されたスモールセルの別途のＳ―ＭＡＣにマッピングされることもある。
【０１１５】
図１１は、本発明の実施例に係るセル変更におけるＭＡＣエンティティリリースに対する概念図である。
【０１１６】
スモールセル又はスモールセルグループが除去された場合、端末は、ＭｅＮＢ又はＳｅＮＢからのＲＲＣシグナリングメッセージによるＳ―ＭＡＣリリース指示を受信することもできる。端末がＲＲＣシグナリングメッセージを受信した場合、端末は、後続Ｓ―ＭＡＣと関連して、Ｓ―ＭＡＣリリースを行うこともできる。
【０１１７】
ベアラ、スモールセル、又は各スモールセルのグループにマッピングされたＳ―ＭＡＣは、ベアラ識別子、スモールセル識別子又は各スモールセルのグループ識別子によって指示されることもある。また、スモールセル又は各スモールセルのグループのＳ―ＭＡＣは、ベアラ識別子によって指示されることもある。
【０１１８】
除去されたスモールセル又は除去されたスモールセルグループのＳ―ＭＡＣを端末がリリースする場合、端末は、ＲＲＣシグナリングメッセージ内のスモールセル識別子、スモールセルグループ識別子、又はベアラ識別子によって指示された、スモールセル、スモールセルグループ、又は各ベアラと連関した全てのＳ―ＭＡＣを削除／廃棄（ｄｅｌｅｔｅ／ｄｉｓｃａｒｄ）することもでき、また、リリースされる既存のＳ―ＭＡＣにマッピングされた各ベアラは、Ｍ―ＭＡＣに再マッピング（ｒｅ―ｍａｐｐｉｎｇ）されることもあり、マクロセルによってサービングされることもある。
【０１１９】
図１２は、本発明の実施例に係る通信装置のブロック図である。
【０１２０】
図１２に示した装置は、上述したメカニズムを行うように適応されたユーザー装置（Ｕｓｅｒ  Ｅｑｕｉｐｍｅｎｔ、ＵＥ）及び／又はｅＮＢであってもよいが、同一の作業を行う任意の装置であってもよい。
【０１２１】
図１２に示したように、装置は、ＤＳＰ（Ｄｉｇｉｔａｌ  Ｓｉｇｎａｌ  Ｐｒｏｃｅｓｓｏｒ）／マイクロプロセッサー１１０及びＲＦ（Ｒａｄｉｏ  Ｆｒｅｑｕｅｎｃｙ）モジュール（送受信機）１３５を含むこともできる。ＤＳＰ／マイクロプロセッサ１１０は、送受信機１３５に電気的に連結され、送受信機１３５を制御する。装置は、設計者の選択によって、電力管理モジュール１０５、バッテリ１５５、ディスプレイ１１５、キーパッド１２０、メモリデバイス１３０、スピーカー１４５及び入力デバイス１５０をさらに含むこともできる。
【０１２２】
特に、図１２は、ネットワークから要請メッセージを受信するように構成された受信機１３５、及びネットワークにタイミング送／受信タイミング情報を送信するように構成された送信機１３５を含む端末を示すこともできる。このような送信機と受信機は、送受信機１３５を構成することができる。端末は、送受信機（受信機及び送信機）１３５に連結されたプロセッサ１１０をさらに含むことができる。
【０１２３】
また、図１２は、端末に要請メッセージを送信するように構成された送信機１３５、及び端末から送受信タイミング情報を受信するように構成された受信機１３５を含むネットワーク装置を示すこともできる。このプロセッサ１１０は、送受信タイミング情報に基づいて遅延を計算することもできる。
【０１２４】
本発明は、本発明の精神及び必須特徴から逸脱しない範囲で他の特定の形態に具体化することができる。前記の詳細な説明は、別途に明示していない限り、制限的に解釈してはならなく、請求項で定義された範囲内で広義に解釈しなければならない。したがって、本発明の等価的範囲内での全ての変更及び修正は、本発明の範囲に含まれ、特許請求の範囲内で解釈されるだろう。
【０１２５】
以上説明した各実施例は、本発明の各構成要素と各特徴が所定形態で結合されたものである。各構成要素又は特徴は、別途の明示的な言及がない限り、選択的なものとして考慮しなければならない。各構成要素又は特徴は、他の構成要素や特徴と結合されない形態で実施することができる。また、一部の構成要素及び／又は特徴を結合して本発明の実施例を構成することも可能である。本発明の各実施例で説明する各動作の順序は変更可能である。いずれかの実施例の一部の構成や特徴は他の実施例に含ませることができ、又は、他の実施例の対応する構成又は特徴に取り替えることができる。特許請求の範囲で明示的な引用関係のない各請求項を結合して実施例を構成したり、出願後の補正によって新たな請求項として含ませ得ることは自明である。
【０１２６】
本発明の実施例において、基地局（ＢＳ）によって行われると説明した特定動作は、上位ノードのＢＳによって行うこともできる。ＢＳを含む複数のネットワークノードにおいて、ＭＳとの通信のために行われる多様な動作が基地局によって行われたり、基地局以外の他のネットワークノードによって行われ得ることは明らかである。「ｅＮＢ」という用語は、「固定局（ｆｉｘｅｄ  ｓｔａｔｉｏｎ）」、「ＮｏｄｅＢ」、「基地局（ＢＳ）」、アクセスポイントなどに取り替えることもできる。
【０１２７】
上述した各実施例は、例えば、ハードウェア、ファームウェア、ソフトウェア又はこれらの組み合わせなどの多様な手段によって具現することもできる。
【０１２８】
ハードウェア設定において、本発明の実施例に係る方法は、一つ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現することができる。
【０１２９】
ファームウェアやソフトウェアによる具現の場合、本発明の一実施例は、以上で説明した機能又は動作を行うモジュール、手順、関数などの形態で具現することができる。ソフトウェアコードは、メモリユニットに格納してプロセッサによって駆動することができる。前記メモリユニットは、前記プロセッサの内部又は外部に位置し、既に公知となった多様な手段によって前記プロセッサとデータをやり取りすることができる。
【０１３０】
本発明は、本発明の特徴から逸脱しない範囲で他の特定の形態に具体化できることは当業者にとって自明である。したがって、前記の詳細な説明は、全ての面で制限的に解釈してはならなく、例示的なものとして考慮しなければならない。本発明の範囲は、添付の請求項の合理的解釈によって決定しなければならなく、本発明の等価的範囲内での全ての変更は本発明の範囲に含まれる。
【産業上の利用可能性】
【０１３１】
上述した方法は、３ＧＰＰ  ＬＴＥシステムに適用される例を中心に説明したが、３ＧＰＰ  ＬＴＥシステム以外にも、多様な無線通信システムに適用することが可能である。
【図１】
2016518065.tif 000003
【図２Ａ】
2016518065.tif 000004
【図２Ｂ】
2016518065.tif 000005
【図３】
2016518065.tif 000006
【図４】
2016518065.tif 000007
【図５】
2016518065.tif 000008
【図６】
2016518065.tif 000009
【図７】
2016518065.tif 000010
【図８Ａ】
2016518065.tif 000011
【図８Ｂ】
2016518065.tif 000012
【図９】
2016518065.tif 000013
【図１０Ａ】
2016518065.tif 000014
【図１０Ｂ】
2016518065.tif 000015
【図１０Ｃ】
2016518065.tif 000016
【図１１】
2016518065.tif 000017
【図１２】
2016518065.tif 000018
【手続補正書】
【提出日】平成28年2月22日(2016.2.22)
【手続補正１】
【補正対象書類名】特許請求の範囲
【補正対象項目名】全文
【補正方法】変更
【補正の内容】
【特許請求の範囲】
【請求項１】
マスター基地局（ＢＳ）および第２のＢＳを含む無線通信システムにおいて動作する端末（ＵＥ）のための方法であって、前記方法は、
前記ＵＥによって、前記マスターＢＳに対する第１のＭＡＣ（Ｍｅｄｉｕｍ  Ａｃｃｅｓｓ  Ｃｏｎｔｒｏｌ）エンティティを設定することと、
前記ＵＥによって、前記マスターＢＳから設定情報を受信することであって、前記設定情報は、第２のＭＡＣエンティティを設定するためのものである、ことと、
前記ＵＥによって、前記設定情報に従って前記第２のＢＳに対する前記第２のＭＡＣエンティティを設定することと
を含み、前記第２のＭＡＣエンティティは、前記設定された第１のエンティティに加えて設定される、方法。
【請求項２】
前記ＵＥによって、前記マスターＢＳから第２の設定情報を受信することであって、前記設定情報は、前記第２のＭＡＣエンティティをリリースするためのものである、ことと、
前記ＵＥによって、前記第２の設定情報に従って前記第２のＢＳに対する前記第２のＭＡＣエンティティをリリースすることと
を含む、請求項１に記載の方法。
【請求項３】
前記第２のＢＳに対する最後の無線ベアラがリリースされたとき、前記ＵＥは前記第２のＢＳとの通信を中断する、請求項１に記載の方法。
【請求項４】
前記第２のＭＡＣ確立メッセージおよび前記第２のＭＡＣリリースメッセージは、ＲＲＣシグナリングメッセージを介して受信される、請求項２に記載の方法。
【請求項５】
マスター基地局（ＢＳ）および第２のＢＳを含む無線通信システムにおける端末（ＵＥ）であって、前記ＵＥは、
ＲＦ（無線周波数）モジュール；及び
前記ＲＦモジュールを制御するように構成されているプロセッサを含み、
前記プロセッサは、
前記マスターＢＳに対する第１のＭＡＣ（Ｍｅｄｉｕｍ  Ａｃｃｅｓｓ  Ｃｏｎｔｒｏｌ）エンティティを設定することと、
前記ＵＥによって、前記マスターＢＳから設定情報を受信することであって、前記設定情報は、第２のＭＡＣエンティティを設定するためのものである、ことと、
前記設定情報に従って前記第２のＢＳに対する前記第２のＭＡＣエンティティを設定することと
を行うように構成されており、前記第２のＭＡＣエンティティは、前記設定された第１のエンティティに加えて設定される、ＵＥ。
【請求項６】
前記プロセッサは、
前記マスターＢＳから第２の設定情報を受信することであって、前記設定情報は、前記第２のＭＡＣエンティティをリリースするためのものである、ことと、
前記第２の設定情報に従って前記第２のＢＳに対する前記第２のＭＡＣエンティティをリリースすることと
を行うようにさらに構成されている、請求項５に記載のＵＥ。
【請求項７】
前記第２のＢＳに対する最後の無線ベアラがリリースされたとき、前記プロセッサは前記第２のＢＳとの通信を中断する、請求項５に記載のＵＥ。
【請求項８】
前記第２のＭＡＣ確立メッセージおよび前記第２のＭＡＣリリースメッセージは、ＲＲＣシグナリングメッセージを介して受信される、請求項６に記載のＵＥ。
【手続補正２】
【補正対象書類名】明細書
【補正対象項目名】００１６
【補正方法】変更
【補正の内容】
【００１６】
好ましくは、前記設定情報は、前記第１の類型セル上の前記第１の基地局又は前記第２の類型セル上の前記第２の基地局によって指示される。
本発明は、例えば、以下を提供する。
（項目１）
第１の類型セル及び第２の類型セルを含む無線通信システムの端末の作動方法であって、
前記第１の類型セル上の第１の基地局と通信すること―ここで、前記端末は、前記第１の類型セルに対する第１のＭＡＣ（Ｍｅｄｉｕｍ  Ａｃｃｅｓｓ  Ｃｏｎｔｒｏｌ）エンティティを含む。―；
前記第１の基地局との通信を維持する間、前記端末が第２の基地局との通信を開始する場合、前記第２の類型セルに対する第２のＭＡＣエンティティを確立すること；及び
前記端末が前記第１の基地局との通信を維持する間、前記第２の基地局との通信を中止する場合、前記第２の類型セルに対する前記第２のＭＡＣエンティティをリリースすることを含む、端末の作動方法。
（項目２）
前記第２の基地局の前記第２の類型セルが前記端末に追加されたとき、前記端末は前記第２の基地局との通信を開始する、項目１に記載の端末の作動方法。
（項目３）
前記第２の基地局の前記第２の類型セル上に無線ベアラが確立されたとき、前記端末は前記第２の基地局との通信を開始する、項目１に記載の端末の作動方法。
（項目４）
前記第２の基地局の前記第２の類型セルが前記端末から除去されたとき、前記端末は前記第２の基地局との通信を中断する、項目１に記載の端末の作動方法。
（項目５）
前記第２の基地局の前記第２の類型セルに対する各ベアラのうち一つのみがリリースされたとき、前記端末は前記第２の基地局との通信を中断する、項目１に記載の端末の作動方法。
（項目６）
前記端末に追加されたり又は前記端末から除去される第２の類型セルの無線資源設定を含む設定情報を受信することをさらに含む、項目１に記載の端末の作動方法。
（項目７）
前記設定情報は、ＲＲＣ（Ｒａｄｉｏ  Ｒｅｓｏｕｒｃｅ  Ｃｏｎｔｒｏｌ）シグナリングメッセージを介して受信された、項目６に記載の端末の作動方法。
（項目８）
前記設定情報は、前記第１の類型セル上の前記第１の基地局又は前記第２の類型セル上の前記第２の基地局によって指示された、項目６に記載の端末の作動方法。
（項目９）
第１の類型セル及び第２の類型セルを含む無線通信システムの端末であって、
無線周波数モジュール；及び
前記無線周波数モジュールと連結され、前記第１の類型セル上の第１の基地局と通信するための第１のＭＡＣ（Ｍｅｄｉｕｍ  Ａｃｃｅｓｓ  Ｃｏｎｔｒｏｌ）エンティティを含むプロセッサを含み、
前記プロセッサは、前記第１の基地局との通信を維持する間、前記端末が第２の基地局との通信を開始する場合、前記第２の類型セルに対する第２のＭＡＣエンティティを確立し、前記第１の基地局との通信を維持する間、前記端末が前記第２の基地局との通信を中断する場合、前記第２の類型セルに対する前記第２のＭＡＣエンティティをリリースするように構成された、端末。
（項目１０）
前記端末に前記第２の基地局の前記第２の類型セルが追加されたとき、前記プロセッサは前記第２の基地局との通信を開始する、項目９に記載の端末。
（項目１１）
前記第２の基地局の前記第２の類型セル上に無線ベアラが確立されたとき、前記プロセッサは前記第２の基地局との通信を開始する、項目９に記載の端末。
（項目１２）
前記第２の基地局の前記第２の類型セルが前記端末から除去されたとき、前記プロセッサは前記第２の基地局との通信を中断する、項目９に記載の端末。
（項目１３）
前記第２の基地局の前記第２の類型セル内の各無線ベアラのうち一つのみがリリースされたとき、前記プロセッサは前記第２の基地局との通信を中断する、項目９に記載の端末。
（項目１４）
前記無線周波数モジュールは、前記端末に追加されたり又は前記端末から除去される前記第２の類型セルの無線周波数設定を含む情報を受信するように構成された、項目９に記載の端末。
（項目１５）
前記設定情報は、ＲＲＣ（Ｒａｄｉｏ  Ｒｅｓｏｕｒｃｅ  Ｃｏｎｔｒｏｌ）シグナリングメッセージを介して受信された、項目１４に記載の端末。
（項目１６）
前記設定情報は、前記第１の類型セル上の前記第１の基地局又は前記第２の類型セル上の前記第２の基地局によって指示された、項目１４に記載の端末。
【国際調査報告】
2016518065.tif 000019
2016518065.tif 000020